(57)【要約】【課題】終端の入れ替え作業を簡易かつ確実に行える端子台を提供する。【解決手段】入力配線端子２と複数の出力配線端子３，４、入力配線端子と複数の出力配線端子を接続する導電板６を備える。複数の出力配線端子３，４に対する配線締結用ネジ３ａ，４ａの締め付け位置が、ネジの締め付け方向に対して異なった位置にある。導電板６が、複数の出力配線端子３，４との接続位置に応じて弾性変形する部材から構成される。複数の出力配線端子３，４のいずれかにおいて、その出力配線端子３，４と導電板６を締結用ネジ３ａ，４ａによって締め付けた場合に、他の出力配線端子のいずれかについては、その配線締結用のネジ３ａ，４ａと導電板６とが導通しない。【選択図】  図１
2018137177.tif 000002
【特許請求の範囲】
【請求項１】
入力配線端子と複数の出力配線端子、前記入力配線端子と前記複数の出力配線端子を接続する導電板を備え、
前記複数の出力配線端子に対する配線締結用ネジの締め付け位置が、各出力配線端子において、前記ネジの締め付け方向に対して異なった位置にあり、
前記導電板が、前記入力配線端子との接続部分を固定位置として、前記複数の出力配線端子との接続位置に応じて弾性変形する部材から構成され、
前記複数の出力配線端子のいずれかにおいて、その出力配線端子と導電板を前記締結用ネジによって締め付けた場合に、他の出力配線端子のいずれかについては、その配線締結用のネジと導電板とが導通しないことを特徴とする端子台。
【請求項２】
入力配線端子と、出力用の追加配線端子と終端配線端子と、これら入力配線端子と出力用の配線端子を接続する導電板を備え、
前記出力配線端子に対する配線締結用ネジの締め付け位置が、追加配線端子と終端配線端子とで、前記ネジの締め付け方向に対して異なった位置にあり、
前記導電板が、入力配線端子との接続部分を固定位置として、追加配線端子と終端配線端子の位置に応じて弾性変形する部材から構成され、
前記追加配線端子と終端配線端子のいずれかにおいて、その配線端子と導電板を前記締結用ネジによって締め付けた場合に、他の配線端子のいずれかについては、その配線締結用のネジと導電板とが導通しないことを特徴とする端子台。
【発明の詳細な説明】
【技術分野】
【０００１】
本実施形態は、例えば、デイジーチェーン方式の制御回路の終端部分に設けられる端子台に関する。
【背景技術】
【０００２】
スイッチギヤおよびＵＰＳ設備の計測回路は、計測項目ごとに配線するアナログ配線方式の他に、Modbus、CCLink、Anywireなどの伝送方式を採用することがある。伝送方式の場合、複数の計測器を１本の配線で数珠つなぎに接続するデイジーチェーン方式が一般的である。デイジーチェーン方式は、数珠つなぎの配線の末端を伝送システム上で明確にするために、末端部に終端抵抗を取り付ける、あるいは、配線を終端特有の配線にすることが必要な場合がある。
【０００３】
すでにデイジーチェーン接続による計測システムが構築されている既存設備において、追加のスイッチギヤあるいはＵＰＳ設備を増設する場合は、既存設備の終端抵抗を取り外す、あるいは、配線を変更した上で、既存設備と追加設備間の配線を行い、追加のスイッチギヤあるいはＵＰＳ設備において、新たに終端抵抗を取り付ける、あるいは配線を終端処置する必要がある。
【０００４】
この終端の入れ替え作業は、伝送システムの工事作業における手間の一つであり、作業の失念や間違いを防ぐことは、多くの現場で望まれている。
【先行技術文献】
【特許文献】
【０００５】
【特許文献１】特開昭６２−８６６１５号公報
【発明の概要】
【発明が解決しようとする課題】
【０００６】
制御配線を端子台で断路できる断路端子台は実用化されているが、確実に断路および接続する方法を技術的に工夫している端子台であり、簡単に配線を切り換えるためのものではない。また、補助リレーとスイッチなどを別途用いて切換回路を構築することは可能であるが、別途用品が必要になる点および、切換の操作が必要となる欠点がある。
【０００７】
本実施形態は、切換を伴う配線作業を簡易かつ確実に行える端子台を提供することを目的とする。
【課題を解決するための手段】
【０００８】
本実施形態の端子台は次のような構成を有することを特徴とする。
（１）入力配線端子と複数の出力配線端子、前記入力配線端子と前記複数の出力配線端子を接続する導電板を備える。
（２）前記複数の出力配線端子に対する配線締結用ネジの締め付け位置が、各出力配線端子において、前記ネジの締め付け方向に対して異なった位置にある。
（３）前記導電板が、前記入力配線端子との接続部分を固定位置として、前記複数の出力配線端子との接続位置に応じて弾性変形する部材から構成される。
（４）前記複数の出力配線端子のいずれかにおいて、その出力配線端子と導電板を前記締結用ネジによって締め付けた場合に、他の出力配線端子のいずれかについては、その配線締結用のネジと導電板とが導通しない。
【図面の簡単な説明】
【０００９】
【図１】本実施形態の端子台の構造を示す図であって、（ａ）は平面図、（ｂ）は側面図である。
【図２】本実施形態の端子台の構造を示す図であって、（ａ）は図１（ａ）のＡ−Ａ線の断面図、（ｂ）は図１（ａ）のＢ−Ｂ線の断面図、（ｃ）は水平断面図である。
【図３】本実施形態の端子台の動作を示す断面図で、（ａ）は図１（ａ）のＡ−Ａ線の断面図、（ｂ）は図１（ａ）のＢ−Ｂ線の断面図である。
【図４】本実施形態を適用した端子台を使用した、配線終端の切換方法を示す配線図である。
【図５】本実施形態を適用した端子台を使用した、機器の増設時の配線方法を示す配線図である。
【発明を実施するための形態】
【００１０】
［実施形態の構成］
図面を参照して、本実施形態の端子台について説明する。図１（ａ）の平面図に示すように、端子台１は、左側の入力配線端子２と、右側の２つの出力配線端子、すなわち追加配線端子３と終端配線端子４を有する。左側の入力配線端子２と右側の２つの出力配線端子３，４とは、端子台１の中央部に設けられた隔壁５によって区分される。
【００１１】
入力配線端子２は、入力配線を締め付けて固定する入力配線用ネジ２ａを備える。追加配線端子３は、追加配線を締め付けて固定する追加配線用ネジ３ａを備える。終端配線端子４は、終端配線を締め付けて固定する終端配線用ネジ４ａを備える。
【００１２】
図１（ｂ）の側面図に示すように、追加配線端子３は終端配線端子４よりも１段低い場所に位置する。それに伴い、追加配線用ネジ３ａは終端配線用ネジ４ａよりも１段低い位置に設けられる。
【００１３】
端子台１の内部は端子台の入力側から出力側に連なる中空部を備え、その中空部に、左側の入力配線端子２と右側の追加配線端子３及び終端配線端子４とを接続する導電板６が配置される。導電板６は、図２（ｃ）の水平断面図に示すように、入力側の接続部６ａと、２つの出力側の接続部６ｂ，６ｃ、及びこれらの接続部を結ぶ追加側導電部７ａと終端側導電部７ｂを備えた二又状の部材である。
【００１４】
導電板６は、バネ性を有する金属部材で構成され、図２（ａ）（ｂ）に示すように、入力側の接続部６ａを固定点として、追加配線用ネジ３ａの締め付け状態に応じて、出力側の接続部６ｂ，６ｃが、１段低い追加配線端子３の位置から１段高い終端配線端子４の間で、弾力的に昇降する。
【００１５】
導電板６における追加側導電部７ａと終端側導電部７ｂ部分には、追加側配線の端部に設けられた端子８、または終端側配線の端部に設けられた端子９が重ね合わされ、それぞれ追加配線用ネジ３ａまたは終端配線用ネジ４ａによって締め付けられて、導電板と追加側または終端側の配線が導通される。
【００１６】
［実施形態の作用］
（１）追加配線の接続
前記のような構成を有する本実施形態においては、１段低い位置にある追加配線用ネジ３ａを追加配線用端子３に締め付け、導電板６と追加配線の端子８を導通させると、導電板６は、追加配線用ネジ３ａに押圧されて下方に移動し、図２（ａ）（ｂ）のように、出力側の接続部６ｂ，６ｃが追加配線用端子３の表面と同じ位置に下がる。すると、この状態では、終端配線ネジ４ａを追加配線の端子９に対して締め付けたとしても、ネジ４ａの先端は下がった位置にある導電板６の接続部６ｃに接触することがない。その結果、追加配線用ネジ３ａを締めた場合に、終端側の接続は確実に遮断されることになり、誤配線が生じることがない。
【００１７】
（２）終端配線の接続
終端配線を行う場合には、図３（ａ）（ｂ）に示すように、１段低い位置にある追加配線用ネジ３ａを緩める。すると、追加配線用ネジ３ａに押さえられていた導電板６がそのバネ性によって上方に復帰して平板状となることから、導電板６の接続部６ｂ，６ｃが終端配線端子４の表面近くの上昇位置となる。その状態で、終端配線端子４に終端配線用ネジ４ａを締め付けて終端配線の端子９を接続すれば、終端配線が導電板６を経由して入力配線端子２に導通される。
【００１８】
図４は、複数の配線Ａ〜Ｄを通常の４台の端子台１０を使用して延長し、マルチメータなどの機器２０を経由した後、本実施形態の４台の端子台１を使用して、終端配線または終端抵抗３０の接続を行った実施例である。この図からも分かるように、本実施形態の端子台を利用することで、追加配線用のネジ３ａを緩めることで、追加配線を誤接続することなく、終端接続が可能である。
【００１９】
図５は、図４に対して、他のマルチメータなどの機器２０を増設する場合を示したものである。この図から分かるように、既存の配線の終端部分に、本実施形態の端子台１を設け、その追加配線用ネジ３ａを締め付けて増設用の追加配線４０を追加配線端子３に接続する。すると、増設部分５０では、終端接続が不能になることから、終端接続の誤配線がなくなり、確実に追加配線を接続することができる。増設部分の終端配線３０は、図３（ａ）（ｂ）と同様に行うことで、追加配線の誤接続がなくなり、終端配線３０の接続が確実に行える。
【００２０】
［実施形態の効果］
以上の通り、本実施形態によれば、終端抵抗あるいは終端処置配線を有する既存の伝送配線に新しい配線を追加する際、新しい配線を追加する作業のみ実施することで、既存の終端抵抗あるいは終端処置配線が同時に切り離されるという利点がある。この構造により、既存の終端抵抗あるいは終端処置配線の切換を失念あるいは間違えることが無くなる。
【００２１】
［他の実施形態］
本発明の実施形態は、上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。下記のその一例である。
【００２２】
（１）図示の実施形態の端子台を樹脂の成型品によって複数個を一体に組み合わせることで、複数の伝送配線を切換る。
（２）出力側の配線端子を３個以上として、その中の１つあるいは複数個を低い位置に、他を高い位置に配置することで、例えば、入力端子に対して幾つかの出力回線と残りの出力回線を接続する場合に、その誤配線を防止することができる。
（３）入力配線端子および出力配線端子に伝送回路以外の制御配線を接続することで、古い制御配線と新しい制御配線を切換る。すなわち、出力端子として、追加配線と終端配線以外の複数の配線を接続する場合にも使用できる。
【符号の説明】
【００２３】
１…端子台
２…入力配線端子
３…追加配線端子
３ａ…追加配線用ネジ
４…終端配線端子
４ａ…終端配線用ネジ
５…隔壁
６…導電板
６ａ，６ｂ，６ｃ…接続部
７ａ…追加側導電部
７ｂ…終端側導電部
８…追加配線の端子
９…終端配線の端子
【図１】
2018137177.tif 000003
【図２】
2018137177.tif 000004
【図３】
2018137177.tif 000005
【図４】
2018137177.tif 000006
【図５】
2018137177.tif 000007